(57)【要約】【課題】画像蓄積記録媒体に残存する画像情報を消去するのに必要な消去情報に基づいて、消去処理を実行するか否かを事前に確認して設定可能とする。【解決手段】ＩＰ情報読取部２７から供給されるＩＰ情報と、画像情報読取部４２によって読み取った放射線画像情報とに基づき、残存する放射線画像情報を消去するのに必要な消去時間を算出し、その消去時間及び消去処理を実行するか否かの確認情報を表示部２６に表示させ、消去処理選択部７２により消去処理を行うことを選択した場合、消去処理を実行する。【選択図】図３
2007121428.tif 000002
【特許請求の範囲】
【請求項１】
画像蓄積記録媒体に消去光を照射し、残存する画像情報を消去する消去装置において、
前記画像蓄積記録媒体に残存する前記画像情報を消去するのに必要な消去情報を取得する消去情報取得手段と、
取得した前記消去情報に基づき、消去処理を実行するか否かを確認する確認情報を表示する表示手段と、
表示された前記確認情報に基づき、消去処理を実行するか否かを選択する消去処理選択手段と、
消去処理の実行が選択されたとき、前記画像蓄積記録媒体に前記消去情報に基づく前記消去光を照射し、前記残存する画像情報を消去する消去手段と、
を備えることを特徴とする消去装置。
【請求項２】
請求項１記載の装置において、
前記消去情報取得手段は、前記画像蓄積記録媒体に蓄積記録された前記画像情報を読み取る画像情報読取手段を有し、前記画像情報読取手段により読み取った前記画像情報を前記消去情報として取得することを特徴とする消去装置。
【請求項３】
請求項１又は２記載の装置において、
前記消去情報取得手段は、前記画像蓄積記録媒体の種別情報を読み取る種別情報読取手段を有し、前記種別情報読取手段により読み取った前記種別情報を前記消去情報として取得することを特徴とする消去装置。
【請求項４】
請求項１〜３のいずれか１項に記載の装置において、
取得した前記消去情報に基づき、前記残存する画像情報を消去するのに必要な消去時間を算出する消去時間算出手段を備え、
前記表示手段は、前記確認情報とともに前記消去時間を表示することを特徴とする消去装置。
【請求項５】
請求項１〜３のいずれか１項に記載の装置において、
前記消去情報と、前記残存する画像情報を消去するのに必要な消去光量との関係を消去テーブルとして記憶する消去テーブル記憶手段を備え、
前記消去手段は、取得した前記消去情報に基づき、前記消去テーブルを用いて設定した前記消去光量からなる前記消去光を前記画像蓄積記録媒体に照射することを特徴とする消去装置。
【請求項６】
画像蓄積記録媒体に消去光を照射し、残存する画像情報を消去する消去方法において、
前記画像蓄積記録媒体に残存する前記画像情報を消去するのに必要な消去情報を取得するステップと、
取得した前記消去情報に基づき、消去処理を実行するか否かを確認する確認情報を表示するステップと、
表示された前記確認情報に基づき、消去処理を実行するか否かを選択するステップと、
消去処理の実行が選択されたとき、前記画像蓄積記録媒体に前記消去情報に基づく前記消去光を照射し、前記残存する画像情報を消去するステップと、
を有することを特徴とする消去方法。
【請求項７】
請求項６記載の方法において、
前記画像蓄積記録媒体に蓄積記録された前記画像情報を読み取り、前記画像情報を前記消去情報として取得することを特徴とする消去方法。
【請求項８】
請求項６又は７記載の方法において、
前記画像蓄積記録媒体の種別情報を読み取り、前記種別情報を前記消去情報として取得することを特徴とする消去方法。
【請求項９】
請求項６記載の方法において、
取得した前記消去情報に基づき、前記残存する画像情報を消去するのに必要な消去時間を算出するステップと、
前記確認情報とともに前記消去時間を表示するステップと、
を有することを特徴とする消去方法。
【発明の詳細な説明】
【技術分野】
【０００１】
本発明は、画像蓄積記録媒体に消去光を照射し、残存する画像情報を消去する消去装置及び消去方法に関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、その蛍光体に可視光等の励起光を照射すると、蓄積されたエネルギに応じた輝尽発光光が出力される。
【０００３】
このような蛍光体からなる蓄積性蛍光体パネルを利用して、人体等の被写体の放射線画像情報を一旦蓄積性蛍光体パネルに蓄積記録し、これを励起光で走査して得られる輝尽発光光を光電的に読み取って画像信号を得、この画像信号を処理して診断適性の良い画像を得る放射線画像情報読取装置が開発されている。
【０００４】
ここで、放射線画像情報の読み取られた蓄積性蛍光体パネルは、蛍光体の励起光波長領域の光を含む消去光を照射し、残存する放射線画像情報を消去することにより、繰り返し使用することができる。従って、放射線画像情報読取装置には、蓄積性蛍光体パネルに消去光を照射することで消去処理を行う消去装置を組み込んだものがある。
【０００５】
また、蓄積性蛍光体パネルに代えて、光変換方式の放射線固体検出器を利用して放射線画像情報を取得することもできる（特許文献１参照）。この光変換方式の放射線固体検出器は、多数の固体検出素子を行列状に配列して形成したもので、放射線が照射されると、放射線量に応じた静電潜像が固体検出素子に蓄積記録される。静電潜像を読み取る際には、放射線固体検出器に読取光を照射し、発生した電流の値を放射線画像情報として取得する。この場合、放射線固体検出器は、蓄積性蛍光体パネルと同様に、消去光を放射線固体検出器に照射することで、残存する静電潜像である放射線画像情報を消去して再使用することができる。
【０００６】
ところで、蓄積性蛍光体パネルや放射線固体検出器等の画像蓄積記録媒体に残存する放射線画像情報を完全に消去するためには、十分な量の消去光を照射できることが望ましい。しかしながら、消去光量を多くするためには、大出力の消去光源を準備するか、あるいは、消去処理に十分な時間を掛ける必要がある。
【０００７】
そこで、消去処理に要するコスト及び時間を削減するため、例えば、特許文献２に示されるように、蓄積性蛍光体パネルに照射する消去光の光量を、蓄積性蛍光体パネルに残存する放射線エネルギのレベルに基づいて調整するようにした技術が提案されている。
【０００８】
【特許文献１】特開２００４−１５４４０９号公報
【特許文献２】特開２００１−３３９０２号公報
【発明の開示】
【発明が解決しようとする課題】
【０００９】
ところで、放射線画像情報を画像蓄積記録媒体に蓄積記録する際に照射される放射線の線量は、被写体や撮影部位等によって異なっており、放射線画像情報を読み取った後の画像蓄積記録媒体に残存する放射線画像情報も前記線量に大きく依存している。そのため、線量が多くなるほど消去に必要な消去光量が増大し、消去時間も長くなってしまう。
【００１０】
この場合、例えば、消去処理に長時間を要する画像蓄積記録媒体の処理を行っているときに、緊急の撮影（蓄積記録処理）が必要となった場合、消去処理済みの画像蓄積記録媒体が準備されていないと、消去中の画像蓄積記録媒体の処理が完了するまで撮影を待たなければならない。
【００１１】
本発明の目的は、画像蓄積記録媒体に残存する画像情報を消去するのに必要な消去情報に基づいて、消去処理を実行するか否かを事前に確認して選択可能とした消去装置及び消去方法を提供することにある。
【課題を解決するための手段】
【００１２】
本発明は、画像蓄積記録媒体に消去光を照射し、残存する画像情報を消去する消去装置において、
前記画像蓄積記録媒体に残存する前記画像情報を消去するのに必要な消去情報を取得する消去情報取得手段と、
取得した前記消去情報に基づき、消去処理を実行するか否かを確認する確認情報を表示する表示手段と、
表示された前記確認情報に基づき、消去処理を実行するか否かを選択する消去処理選択手段と、
消去処理の実行が選択されたとき、前記画像蓄積記録媒体に前記消去情報に基づく前記消去光を照射し、前記残存する画像情報を消去する消去手段と、
を備えることを特徴とする。
【００１３】
また、本発明は、画像蓄積記録媒体に消去光を照射し、残存する画像情報を消去する消去方法において、
前記画像蓄積記録媒体に残存する前記画像情報を消去するのに必要な消去情報を取得するステップと、
取得した前記消去情報に基づき、消去処理を実行するか否かを確認する確認情報を表示するステップと、
表示された前記確認情報に基づき、消去処理を実行するか否かを選択するステップと、
消去処理の実行が選択されたとき、前記画像蓄積記録媒体に前記消去情報に基づく前記消去光を照射し、前記残存する画像情報を消去するステップと、
を有することを特徴とする。
【発明の効果】
【００１４】
本発明では、画像蓄積記録媒体に残存する画像情報を消去するのに必要な消去情報に基づいて、消去処理を実行するか否かを事前に確認可能とし、ユーザの都合に応じて、消去処理を実行するか否かを選択することができる。この場合、例えば、消去時間の短い画像蓄積記録媒体に対する消去処理を優先し、効率的に消去処理を遂行することができる。
【発明を実施するための最良の形態】
【００１５】
図１は、本実施形態の放射線画像情報読取装置１０の外観図、図２は、その内部構成図である。
【００１６】
図１において、放射線画像情報読取装置１０は、ケーシング１２の上部にカセッテ装填部１４を備え、このカセッテ装填部１４に形成された装填口１５に対して、放射線画像情報が蓄積記録された蓄積性蛍光体パネル１６（以下、必要に応じて「ＩＰ」という。）を収容したカセッテ１８（１８ａ）が装填される。なお、カセッテ１８ａは、カセッテ１８よりもサイズが小さいものである。
【００１７】
カセッテ装填部１４は、矢印方向に個別に変位自在なカバー部材２０ａ、２０ｂを有する。大サイズのカセッテ１８が装填されたときには、カバー部材２０ａ、２０ｂの両方が変位して装填口１５の全体が開放され、小サイズのカセッテ１８ａが装填されたときには、カバー部材２０ａのみが変位して装填口１５の一部が開放される。これにより、放射線画像情報読取装置１０の内部への塵埃の侵入を抑制することができる。カセッテ装填部１４の側部には、電源ボタン２２、操作ボタン２４、表示部２６等が配設される。
【００１８】
図２において、放射線画像情報読取装置１０の内部の装填口１５に近接する部位には、装填されたカセッテ１８（１８ａ）に収容されている蓄積性蛍光体パネル１６のサイズ、感度等の種別情報（以下、「ＩＰ情報」という。）、固有番号等を読み取るＩＰ情報読取部２７（種別情報読取手段）と、カセッテ１８（１８ａ）の蓋部材２１のロックを解除するロック解除機構２８と、蓋部材２１が開蓋されたカセッテ１８（１８ａ）から蓄積性蛍光体パネル１６を吸着して取り出す吸着盤３０と、吸着盤３０によって取り出された蓄積性蛍光体パネル１６を挟持搬送するニップローラ３２とが配設される。
【００１９】
なお、ＩＰ情報読取部２７は、例えば、カセッテ１８（１８ａ）又は蓄積性蛍光体パネル１６に装着されたバーコード、ＩＣチップ等に記録されたＩＰ情報を読み取るバーコードリーダ、ＲＦＩＤ等の読取手段によって構成することができる。
【００２０】
ニップローラ３２に連設して、複数の搬送ローラ３４ａ〜３４ｇ及び複数のガイド板３６ａ〜３６ｆが配設され、これらにより湾曲搬送路３８が構成される。湾曲搬送路３８は、カセッテ装填部１４から下方向に延在した後、最下部において略水平状態となり、次いで、略鉛直上方向に延在する。これにより、放射線画像情報読取装置１０の小型化が達成される。
【００２１】
ニップローラ３２と搬送ローラ３４ａとの間には、読取処理が終了した蓄積性蛍光体パネル１６に残存する放射線画像情報を消去するための消去部３９（消去手段）が配設される。消去部３９は、消去光を出力する冷陰極管等の消去光源４１を有する。
【００２２】
湾曲搬送路３８の最下部に配設される搬送ローラ３４ｄ、３４ｅ間には、プラテンローラ４３が配設される。そして、プラテンローラ４３の上部には、ハウジング４５に収容され、蓄積性蛍光体パネル１６に蓄積記録された放射線画像情報を読み取る走査ユニット４７が配設される。
【００２３】
走査ユニット４７は、励起光であるレーザビームＬを導出して蓄積性蛍光体パネル１６を走査する励起部４０と、レーザビームＬによって励起されて出力される放射線画像情報に係る輝尽発光光を読み取る画像情報読取部４２（画像情報読取手段）とを備える。
【００２４】
励起部４０は、レーザビームＬを出力するレーザ発振器４４と、レーザビームＬを蓄積性蛍光体パネル１６の主走査方向に偏向する回転多面鏡であるポリゴンミラー４６と、レーザビームＬを反射させ、プラテンローラ４３上を通過する蓄積性蛍光体パネル１６に導く反射ミラー４８とを備える。
【００２５】
画像情報読取部４２は、一端部がプラテンローラ４３上の蓄積性蛍光体パネル１６に近接して配置される集光ガイド５０と、集光ガイド５０の他端部に連結され、蓄積性蛍光体パネル１６から得られた輝尽発光光を電気信号に変換するフォトマルチプライヤ５２とを備える。なお、集光ガイド５０の一端部には、輝尽発光光の集光効率を高めるための集光ミラー５４が近接して配設される。
【００２６】
放射線画像情報読取装置１０の制御回路は、図３に示すように、画像情報読取部４２を構成するフォトマルチプライヤ５２によって光電変換された画像信号に所望の画像処理を施し、診断適性の良好な放射線画像情報とする画像処理部６０と、処理された放射線画像情報を記憶する画像情報記憶部６２とを備える。
【００２７】
また、制御回路は、ＩＰ情報読取部２７によって取得した消去情報であるＩＰ情報と、画像情報読取部４２によって読み取った消去情報である放射線画像情報と、消去テーブル記憶部６４（消去テーブル記憶手段）に記憶された消去テーブルとに基づき、読取処理後の蓄積性蛍光体パネル１６に残存する放射線画像情報を消去するのに必要な消去光量を設定する消去光量設定部６６を備える。
【００２８】
この場合、消去テーブルは、例えば、図４に示すように、ＩＰ情報から得られる蓄積性蛍光体パネル１６の感度に基づくＩＰタイプ１、ＩＰタイプ２、レーザ発振器４４から出力される励起光のレーザパワー１、レーザパワー２等に応じて選択可能な複数の消去テーブルＴ１〜Ｔ４を有し、蓄積性蛍光体パネル１６から得られる放射線画像情報と、蓄積性蛍光体パネル１６に残存する放射線画像情報を消去するのに必要な消去光の消去光量との関係を規定する。また、各消去テーブルＴ１〜Ｔ４には、例えば、消去光源４１の一部が故障等によって不点灯となる場合に対応すべく、消去光量を加算するための延長テーブルｔ１〜ｔ４が設定されている。
【００２９】
さらに、制御回路は、消去光量設定部６６によって設定された消去光量から、消去部３９での消去処理に要する消去時間を算出する消去時間算出部６８（消去時間算出手段）と、算出された消去時間に基づき、表示部２６に、消去処理を実行するか否かを確認する確認情報を表示させるとともに、前記消去時間を表示させる表示制御部７０とを備える。
【００３０】
さらにまた、制御回路は、表示部２６に前記確認情報が表示された場合、その確認情報に基づき、消去処理を実行するか否かを選択する消去処理選択部７２（消去処理選択手段）と、消去処理選択部７２によって消去処理の実行が選択された場合、消去時間算出部６８により算出した消去時間に基づいて消去部３９を制御し、消去光を蓄積性蛍光体パネル１６に照射して消去処理を行う消去制御部７４とを備える。
【００３１】
この場合、消去処理選択部７２は、カセッテ装填部１４の側部に配設された操作ボタン２４（図１参照）、又は、表示部２６に表示された確認情報のアイコンを直接選択するタッチパネル等の表示手段とすることができる。
【００３２】
本実施形態の放射線画像情報読取装置１０は、基本的には以上のように構成されるものであり、次にその動作につき、図５に示すフローチャートに従って説明する。
【００３３】
放射線画像情報が蓄積記録された蓄積性蛍光体パネル１６を収納したカセッテ１８（１８ａ）は、蓋部材２１を下としてカセッテ装填部１４の装填口１５に装填される（ステップＳ１）。
【００３４】
放射線画像情報読取装置１０にカセッテ１８（１８ａ）が所定の状態で装填されると、カセッテ装填部１４に配設されているＩＰ情報読取部２７が、カセッテ１８（１８ａ）又はそれに収容されている蓄積性蛍光体パネル１６より、蓄積性蛍光体パネル１６の種別等を含むＩＰ情報を読み取る（ステップＳ２）。
【００３５】
ＩＰ情報が読み取られると、ロック解除機構２８が駆動され、蓋部材２１のロック状態が解除されて開蓋される。次いで、吸着盤３０が蓄積性蛍光体パネル１６を吸着し、カセッテ１８（１８ａ）から蓄積性蛍光体パネル１６を取り出してニップローラ３２間に供給する。ニップローラ３２により挟持された蓄積性蛍光体パネル１６は、搬送ローラ３４ａ〜３４ｇ及びガイド板３６ａ〜３６ｆからなる湾曲搬送路３８を介して、画像情報読取部４２の下部に搬送される（ステップＳ３）。
【００３６】
蓄積性蛍光体パネル１６は、搬送ローラ３４ｄ及び３４ｅにより略水平方向に副走査搬送される。一方、励起部４０を構成するレーザ発振器４４から出力されたレーザビームＬは、高速で回転するポリゴンミラー４６によって反射偏向された後、反射ミラー４８を介して下面部がプラテンローラ４３により支持された蓄積性蛍光体パネル１６に導かれ、蓄積性蛍光体パネル１６を主走査する。
【００３７】
蓄積性蛍光体パネル１６は、レーザビームＬが照射されることで励起され、蓄積記録されている放射線画像情報に応じた輝尽発光光を出力する。この輝尽発光光は、蓄積性蛍光体パネル１６の主走査方向に沿って近接配置された集光ガイド５０の下端部に直接入射し、あるいは、集光ミラー５４を介して入射する。集光ガイド５０に入射した輝尽発光光は、内部で反射を繰り返し、上端部のフォトマルチプライヤ５２に導かれる。フォトマルチプライヤ５２は、入射した輝尽発光光を電気信号に変換し、これによって、蓄積性蛍光体パネル１６に蓄積記録されている放射線画像情報が読み取られる（ステップＳ４）。
【００３８】
読み取られた放射線画像情報は、画像処理部６０によって所望の画像処理が施された後、画像情報記憶部６２に記憶される。また、必要に応じて、図示しない通信手段を介して外部の画像処理装置に転送することができる。
【００３９】
一方、画像情報読取部４２によって読み取られた放射線画像情報は、消去光量設定部６６に供給される。また、消去光量設定部６６には、ＩＰ情報読取部２７からＩＰ情報が供給される。消去光量設定部６６は、消去情報である放射線画像情報及びＩＰ情報と、消去テーブル記憶部６４に記憶されている消去テーブルとを用いて、放射線画像情報が読み取られた後の蓄積性蛍光体パネル１６に残存する放射線画像情報を消去するのに必要な消去光量を設定する（ステップＳ５）。
【００４０】
例えば、残存する放射線画像情報を完全に消去するのに必要な消去光量は、蓄積性蛍光体パネル１６の感度によって異なることがあり、その場合は、ＩＰ情報から得られる感度に係る情報に基づき、ＩＰタイプ１又は２の消去テーブルＴ１又はＴ２が選択される。また、蓄積性蛍光体パネル１６から放射線画像情報を読み取るレーザビームＬのパワーによって、残存する放射線画像情報が異なることがあり、その場合は、レーザ発振器４４に設定されているレーザパワー１又は２の消去テーブルＴ３又はＴ４が選択される。さらに、消去光源４１の故障等によって消去光量が低下しているような場合には、消去光量を増加させるための延長テーブルｔ１〜ｔ４が各消去テーブルＴ１〜Ｔ４とともに選択される。
【００４１】
そこで、消去光量設定部６６は、消去テーブルＴ１〜Ｔ４及び延長テーブルｔ１〜ｔ４からＩＰ情報等に基づく所定の組み合わせを選択し、例えば、画像情報読取部４２から供給される放射線画像情報の最大値に基づき、残存する放射線画像情報を完全に消去するのに必要な消去光量を設定する。
【００４２】
なお、消去光量の設定に際しては、画像情報読取部４２によって読み取った放射線画像情報ではなく、蓄積性蛍光体パネル１６に放射線画像情報を蓄積記録するときの照射線量を基準としてもよい。また、ＩＰ情報読取部２７を備えていない放射線画像情報読取装置１０のように、ＩＰ情報を取得することができない場合には、消去光量の多い値が設定されている消去テーブルＴ１〜Ｔ４を選択するようにしてもよい。
【００４３】
次に、消去時間算出部６８において、ステップＳ５で設定した消去光量に基づき、残存する放射線画像情報を完全に消去するのに要する消去時間を算出する（ステップＳ６）。そして、算出した消去時間が予め設定した基準消去時間よりも長い場合（ステップＳ７）、消去時間算出部６８は、表示制御部７０を介して、表示部２６に消去処理を実行するか否かを確認する確認情報と、算出した消去時間を表示させる（ステップＳ８、Ｓ９）。
【００４４】
例えば、表示部２６には、「今すぐ消去」及び「後で消去」のメッセージと、残存する放射線画像情報を完全に消去するのに要する時間である「消去時間」とが確認情報として表示される。なお、確認情報を表示するか否かは、算出した消去時間ではなく、画像情報読取部４２によって読み取った放射線画像情報の最大値に従って判断するようにしてもよい。
【００４５】
ユーザは、表示されたメッセージを確認し、例えば、表示されている消去時間が、次に控える撮影に必要な蓄積性蛍光体パネル１６を供給するまでに十分な時間がある場合、操作ボタン２４を操作して「今すぐ消去」を選択し、放射線画像情報読取装置１０に対して消去処理の実行を指示することができる。一方、当該蓄積性蛍光体パネル１６の消去処理に要する時間が長く、できるだけ速やかに撮影可能な蓄積性蛍光体パネル１６を供給する必要があるような場合、消去時間の短い蓄積性蛍光体パネル１６、すなわち、前回の撮影における照射線量の少ない蓄積性蛍光体パネル１６に対する消去処理を優先すべく、操作ボタン２４を操作して「後で消去」を選択し（ステップＳ１０）、現在、放射線画像情報読取装置１０に装填されている蓄積性蛍光体パネル１６をカセッテ１８（１８ａ）に収容して一旦外部に排出させる処理を指示することができる（ステップＳ１３）。
【００４６】
操作ボタン２４を操作して「今すぐ消去」が選択された場合（ステップＳ１０）、蓄積性蛍光体パネル１６は、消去部３９まで搬送される（ステップＳ１１）。次いで、消去制御部７４は、消去時間算出部６８で算出した消去時間だけ消去光源４１を点灯し、消去光を蓄積性蛍光体パネル１６に照射することにより、蓄積性蛍光体パネル１６に残存する放射線画像情報を消去する（ステップＳ１２）。
【００４７】
残存する放射線画像情報が完全に消去された蓄積性蛍光体パネル１６は、カセッテ装填部１４に装填されているカセッテ１８（１８ａ）に収容され、蓋部材２１が閉蓋された後、カセッテ１８（１８ａ）が排出され（ステップＳ１３）、次の撮影に供せられる。
【００４８】
一方、消去時間算出部６８において算出された消去時間が予め設定した基準消去時間以下の場合には（ステップＳ７）、表示部２６にメッセージを表示させることなく、蓄積性蛍光体パネル１６を消去部３９に搬送して消去処理を行い（ステップＳ１１、Ｓ１２）、次いで、カセッテ１８（１８ａ）に収容して排出する（ステップＳ１３）。なお、表示部２６は、算出された消去時間が短い場合であっても、消去処理を実行するか否かを確認する確認情報を常に表示するようにしてもよい。
【００４９】
上述した実施形態では、消去情報と放射線画像情報とに基づき、消去テーブルを用いて消去光量を設定し、その消去光量を蓄積性蛍光体パネル１６に与えることのできる消去時間を算出するようにしているが、消去情報と放射線画像情報とから消去時間を直接設定して消去処理を行うようにしてもよい。また、消去時間を制御するのではなく、消去光源４１の発光光量を制御して消去処理を行うようにしてもよい。
【００５０】
さらに、本発明は、画像蓄積記録媒体として、蓄積性蛍光体パネル１６に代えて、光変換方式の放射線固体検出器を使用した場合にも適用することができる。また、画像蓄積記録媒体に蓄積記録される画像情報は、画像蓄積記録媒体に放射線を照射して記録されるものに限られることはなく、例えば、光ビームを画像蓄積記録媒体に照射して記録される場合にも適用可能である。
【図面の簡単な説明】
【００５１】
【図１】本実施形態の放射線画像情報読取装置の外観図である。
【図２】本実施形態の放射線画像情報読取装置の内部構成図である。
【図３】本実施形態の放射線画像情報読取装置の制御回路ブロック図である。
【図４】図３に示す制御回路の消去テーブル記憶部に設定される消去テーブルの説明図である。
【図５】本実施形態の放射線画像情報読取装置の動作フローチャートである。
【符号の説明】
【００５２】
１０…放射線画像情報読取装置  １４…カセッテ装填部
１６…蓄積性蛍光体パネル      １８、１８ａ…カセッテ
２４…操作ボタン              ２６…表示部
２７…ＩＰ情報読取部          ３９…消去部
４０…励起部                  ４２…画像情報読取部
４７…走査ユニット            ６４…消去テーブル記憶部
６６…消去光量設定部          ６８…消去時間算出部
７０…表示制御部              ７２…消去処理選択部
７４…消去制御部
【図１】
2007121428.tif 000003
【図２】
2007121428.tif 000004
【図３】
2007121428.tif 000005
【図４】
2007121428.tif 000006
【図５】
2007121428.tif 000007